(57)【要約】【課題】一のユーザとの活動情報の通知を希望しない他のユーザに、再度、当該一のユーザからの活動情報の通知を開始すべき旨の開始要求の送信してしまう。【解決手段】複数の他のサーバとの間で、相互に承認の登録をしたユーザの活動状態を示す活動情報を相互に通知するサーバであって、結果記憶部と要求送受信部と応答送受信部とを備え、応答送受信部は、開始要求に対する他のユーザからの否定的な応答を受信した場合に、活動情報の通知の開始が拒否された旨の結果、および、当該応答を受信した応答時刻を結果記憶部に記憶し、要求送受信部は、当該ユーザからの他のユーザに対する開始要求を受信した場合に、当該他のユーザのユーザ識別情報に対応付けて結果記憶部に拒否された旨の結果が記憶されており、かつ、応答時刻から所定の時間を経過する前であるときは、他のサーバへの当該開始要求の送信を中止する。【選択図】図３
2008102879.tif 000002
【特許請求の範囲】
【請求項１】
複数の他のサーバとの間で、相互に承認の登録をしたユーザの活動状態を示す活動情報を相互に通知するサーバであって、
当該サーバに対応付けられた前記端末を使用するユーザと他のサーバに対応付けられた前記端末を使用する他のユーザとのあいだの前記活動情報の通知を開始することの認否の結果を記憶する結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信する要求送受信部と、
前記開始要求に対する前記他のユーザからの応答を前記他のサーバから受信するとともに、受信した前記応答を、当該サーバに対応付けられた前記端末に送信する応答送受信部と
を備え、
前記応答送受信部は、前記開始要求に対する前記他のユーザからの否定的な応答を受信した場合に、当該他のユーザを識別するユーザ識別情報に対応付けて、前記活動情報の通知の開始が拒否された旨の結果、および、当該応答を受信した応答時刻を前記結果記憶部に記憶し、
前記要求送受信部は、当該サーバに対応付けられた前記端末を使用するユーザからの前記他のユーザに対する前記開始要求を受信した場合に、当該他のユーザのユーザ識別情報に対応付けて前記結果記憶部に前記活動情報の通知の開始が拒否された旨の結果が記憶されており、かつ、前記ユーザ識別情報に対応付けて前記結果記憶部に記憶された前記応答時刻から所定の時間を経過する前であるときは、前記他のサーバへの当該開始要求の送信を中止するサーバ。
【請求項２】
複数の他のサーバとの間で、相互に承認の登録をしたユーザの活動状態を示す活動情報を相互に通知するサーバであって、
当該サーバに対応付けられた前記端末を使用するユーザと他のサーバに対応付けられた前記端末を使用する他のユーザとのあいだの前記活動情報の通知を開始することの認否の結果を記憶する結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信し、
他のユーザからの当該サーバに対応付けられた前記端末を使用するユーザに対する前記活動情報の通知を開始すべき旨の開始要求を前記他のサーバから受信するとともに、受信した前記開始要求を、当該サーバに対応付けられた前記端末に送信する要求送受信部と、
前記他のユーザからの前記開始要求に対する、当該サーバに対応付けられた前記端末を使用するユーザからの応答を、当該サーバに対応付けられた前記端末から受信するとともに、受信した前記応答を、前記他のサーバに送信する前記応答送受信部と
を備え、
前記応答送受信部は、前記他のユーザからの前記開始要求に対する、当該サーバに対応付けられた前記端末を使用するユーザからの否定的な応答を受信した場合に、当該他のユーザを識別するユーザ識別情報に対応付けて、前記活動情報の通知の開始が拒否された旨の結果、および、当該応答を受信した応答時刻を前記結果記憶部に記憶し、
前記要求送受信部は、当該サーバに対応付けられた前記端末を使用するユーザからの前記他のユーザに対する前記開始要求を受信した場合に、当該他のユーザのユーザ識別情報に対応付けて前記結果記憶部に前記活動情報の通知の開始が拒否された旨の結果が記憶されており、かつ、前記ユーザ識別情報に対応付けて前記結果記憶部に記憶された前記応答時刻から所定の時間を経過する前であるときは、前記他のサーバへの当該開始要求の送信を中止するサーバ。
【請求項３】
複数の他のサーバとの間で、相互に承認の登録をしたユーザの活動状態を示す活動情報を相互に通知するサーバであって、
当該サーバに対応付けられた前記端末を使用するユーザと他のサーバに対応付けられた前記端末を使用する他のユーザとのあいだの前記承認の登録が削除された旨の結果を記憶する結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信し、
当該サーバに対応付けられた前記端末を使用するユーザからの前記他のユーザに対する前記登録を削除すべき旨の削除要求を、当該サーバに対応付けられた前記端末から受信するとともに、受信した前記削除要求を、前記他のサーバに送信する要求送受信部
を備え、
前記要求送受信部は、当該サーバに対応付けられた前記端末を使用するユーザからの前記他のユーザに対する前記削除要求を受信した場合に、当該他のユーザを識別するユーザ識別情報に対応付けて、前記承認の登録が削除された旨の結果、および、当該削除要求を受信した受信時刻を前記結果記憶部に記憶し、
前記要求送受信部は、当該サーバに対応付けられた前記端末を使用するユーザからの前記他のユーザに対する前記開始要求を受信した場合に、当該他のユーザのユーザ識別情報に対応付けて前記結果記憶部に前記承認の登録が削除された旨の結果が記憶されており、かつ、前記ユーザ識別情報に対応付けて前記結果記憶部に記憶された前記受信時刻から所定の時間を経過する前であるときは、前記他のサーバへの当該開始要求の送信を中止するサーバ。
【請求項４】
複数の他のサーバとの間で、相互に承認の登録をしたユーザの活動状態を示す活動情報を相互に通知するサーバであって、
当該サーバに対応付けられた前記端末を使用するユーザと他のサーバに対応付けられた前記端末を使用する他のユーザとのあいだの前記承認の登録が削除された旨の結果を記憶する結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信し、
前記他のユーザからの当該サーバに対応付けられた前記端末を使用するユーザに対する前記登録を削除すべき旨の削除要求を、前記他のサーバから受信するとともに、受信した前記削除要求を、当該サーバに対応付けられた前記端末に送信する要求送受信部
を備え、
前記要求送受信部は、前記他のユーザからの当該サーバに対応付けられた前記端末を使用するユーザに対する前記削除要求を受信した場合に、当該他のユーザを識別するユーザ識別情報に対応付けて、前記承認の登録が削除された旨の結果、および、当該削除要求を受信した受信時刻を前記結果記憶部に記憶し、
前記要求送受信部は、当該サーバに対応付けられた前記端末を使用するユーザからの前記他のユーザに対する前記開始要求を受信した場合に、当該他のユーザのユーザ識別情報に対応付けて前記結果記憶部に前記承認の登録が削除された旨の結果が記憶されており、かつ、前記ユーザ識別情報に対応付けて前記結果記憶部に記憶された前記受信時刻から所定の時間を経過する前であるときは、前記他のサーバへの当該開始要求の送信を中止するサーバ。
【請求項５】
サーバを介して、相互に承認の登録をしたユーザの活動状態を示す活動情報を相互に通知する端末であって、
当該端末を使用するユーザと他のユーザとのあいだの前記活動情報の通知を開始することの認否の結果を記憶する結果記憶部と、
当該端末を使用するユーザから前記他のユーザに対する前記活動情報の通知を開始すべき旨の開始要求を受け付けて、受け付けた前記開始要求を当該端末に対応付けられたサーバに送信する要求送信部と、
前記開始要求に対する前記他のユーザからの応答を、前記サーバから受信する応答受信部と
を備え、
前記応答受信部は、前記開始要求に対する前記他のユーザからの否定的な応答を受信した場合に、当該他のユーザを識別するユーザ識別情報に対応付けて、前記活動情報の通知の開始が拒否された旨の結果、および、当該応答を受信した応答時刻を前記結果記憶部に記憶し、
前記要求送信部は、当該端末を使用するユーザから前記他のユーザに対する前記開始要求を受け付けた場合に、当該他のユーザのユーザ識別情報に対応付けて前記結果記憶部に前記活動情報の通知の開始が拒否された旨の結果が記憶され、かつ、前記ユーザ識別情報に対応付けて前記結果記憶部に記憶された前記応答時刻から所定の時間を経過する前であるときは、前記サーバへの当該開始要求の送信を中止する端末。
【請求項６】
サーバを介して、相互に承認の登録をしたユーザの活動状態を示す活動情報を相互に通知する端末であって、
当該端末を使用するユーザと他のユーザとのあいだの前記活動情報の通知を開始することの認否の結果を記憶する結果記憶部と、
当該端末を使用するユーザから前記他のユーザに対する前記活動情報の通知を開始すべき旨の開始要求を受け付けて、受け付けた前記開始要求を当該端末に対応付けられたサーバに送信し、
他のユーザからの当該端末を使用するユーザに対する前記活動情報の通知を開始すべき旨の開始要求を前記サーバから受信する要求送受信部と、
前記他のユーザからの前記開始要求に対する、当該サーバに対応付けられた前記端末を使用するユーザからの応答を受け付けて、受け付けた前記応答を、前記サーバに送信する応答受信部と
を備え、
前記応答受信部は、前記他のユーザからの前記開始要求に対する、当該サーバに対応付けられた前記端末を使用するユーザからの否定的な応答を受け付けた場合に、当該他のユーザを識別するユーザ識別情報に対応付けて、前記活動情報の通知の開始が拒否された旨の結果、および、当該応答を受け付けた応答時刻を前記結果記憶部に記憶し、
前記要求送受信部は、当該端末を使用するユーザから前記他のユーザに対する前記開始要求を受け付けた場合に、当該他のユーザのユーザ識別情報に対応付けて前記結果記憶部に前記活動情報の通知の開始が拒否された旨の結果が記憶され、かつ、前記ユーザ識別情報に対応付けて前記結果記憶部に記憶された前記応答時刻から所定の時間を経過する前であるときは、前記サーバへの当該開始要求の送信を中止する端末。
【請求項７】
サーバを介して、相互に承認の登録をしたユーザの活動状態を示す活動情報を相互に通知する端末であって、
当該端末を使用するユーザと他のユーザとのあいだの前記承認の登録が削除された旨の結果を記憶する結果記憶部と、
当該端末を使用するユーザから前記他のユーザに対する前記活動情報の通知を開始すべき旨の開始要求を受け付けて、受け付けた前記開始要求を当該端末に対応付けられたサーバに送信し、
当該端末を使用するユーザからの前記他のユーザに対する前記登録を削除すべき旨の削除要求を受け付けて、受け付けた前記削除要求を前記サーバに送信する要求送受信部
を備え、
前記要求送受信部は、当該端末を使用するユーザからの前記他のユーザに対する前記削除すべき旨の削除要求を受け付けた場合に、当該他のユーザを識別するユーザ識別情報に対応付けて、前記承認の登録が削除された旨の結果、および、当該削除要求を受け付けた受付時刻を前記結果記憶部に記憶し、
前記要求送信部は、当該端末を使用するユーザから前記他のユーザに対する前記開始要求を受け付けた場合に、当該他のユーザのユーザ識別情報に対応付けて前記結果記憶部に前記承認の登録が削除された旨の結果が記憶されており、かつ、前記ユーザ識別情報に対応付けて前記結果記憶部に記憶された前記受付時刻から所定の時間を経過する前であるときは、前記サーバへの当該開始要求の送信を中止する端末。
【請求項８】
サーバを介して、相互に承認の登録をしたユーザの活動状態を示す活動情報を相互に通知する端末であって、
当該端末を使用するユーザと他のユーザとのあいだの前記承認の登録が削除された旨の結果を記憶する結果記憶部と、
当該端末を使用するユーザから前記他のユーザに対する前記活動情報の通知を開始すべき旨の開始要求を受け付けて、受け付けた前記開始要求を当該端末に対応付けられたサーバに送信し、
前記他のユーザからの当該端末を使用するユーザに対する前記登録を削除すべき旨の削除要求を前記サーバから受信する要求送受信部
を備え、
前記要求送受信部は、前記他のユーザからの当該端末を使用するユーザに対する前記削除要求を受信した場合に、前記承認の登録が削除された旨の結果、および、当該削除要求を受信した受信時刻を前記結果記憶部に記憶し、
前記要求送信部は、当該端末を使用するユーザから前記他のユーザに対する前記開始要求を受け付けた場合に、当該他のユーザのユーザ識別情報に対応付けて前記結果記憶部に前記承認の登録が削除された旨の結果が記憶されており、かつ、前記ユーザ識別情報に対応付けて前記結果記憶部に記憶された前記受信時刻から所定の時間を経過する前であるときは、前記サーバへの当該開始要求の送信を中止する端末。
【請求項９】
複数の他のサーバとの間で、相互に承認の登録をしたユーザの活動状態を示す活動情報を相互に通知するサーバと、
前記サーバを介して、前記活動情報を相互に通知する端末と
を備える活動情報通知システムであって、
前記サーバは、
当該サーバに対応付けられた前記端末を使用するユーザと他のサーバに対応付けられた前記端末を使用する他のユーザとのあいだの前記活動情報の通知を開始することの認否の結果を記憶するサーバ結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信し、
他のユーザからの当該サーバに対応付けられた前記端末を使用するユーザに対する前記活動情報の通知を開始すべき旨の開始要求を前記他のサーバから受信するとともに、受信した前記開始要求を、当該サーバに対応付けられた前記端末に送信するサーバ要求送受信部と、
当該サーバに対応付けられた前記端末を使用するユーザからの前記開始要求に対する、前記他のユーザからの応答を前記他のサーバから受信するとともに、受信した前記応答を、当該サーバに対応付けられた前記端末に送信し、
前記他のユーザからの前記開始要求に対する、当該サーバに対応付けられた前記端末を使用するユーザからの応答を、当該サーバに対応付けられた前記端末から受信するとともに、受信した前記応答を、前記他のサーバに送信するサーバ応答送受信部と
を有し、
前記端末は、
当該端末を使用するユーザと他のユーザとのあいだの前記活動情報の通知を開始することの認否の結果を記憶する端末結果記憶部と、
当該端末を使用するユーザから前記他のユーザに対する前記活動情報の通知を開始すべき旨の開始要求を受け付けて、受け付けた前記開始要求を当該端末に対応付けられたサーバに送信し、
他のユーザからの当該端末を使用するユーザに対する前記活動情報の通知を開始すべき旨の開始要求を前記サーバから受信する端末要求送受信部と、
前記他のユーザからの前記開始要求に対する、当該サーバに対応付けられた前記端末を使用するユーザからの応答を受け付けて、受け付けた前記応答を、前記サーバに送信する端末応答受信部と
を有し、
前記サーバ応答送受信部は、前記開始要求に対する前記他のユーザからの否定的な応答を受信した場合に、当該他のユーザを識別するユーザ識別情報に対応付けて、前記活動情報の通知の開始が拒否された旨の結果、および、当該応答を受信した応答時刻を前記サーバ結果記憶部に記憶し、
前記サーバ要求送受信部は、当該サーバに対応付けられた前記端末を使用するユーザからの前記他のユーザに対する前記開始要求を受信した場合に、当該他のユーザのユーザ識別情報に対応付けて前記サーバ結果記憶部に前記活動情報の通知の開始が拒否された旨の結果が記憶されており、かつ、前記ユーザ識別情報に対応付けて前記サーバ結果記憶部に記憶された前記応答時刻から所定の時間を経過する前であるときは、前記他のサーバへの当該開始要求の送信を中止し、
前記端末応答受信部は、前記他のユーザからの前記開始要求に対する、当該サーバに対応付けられた前記端末を使用するユーザからの否定的な応答を受け付けた場合に、当該他のユーザを識別するユーザ識別情報に対応付けて、前記活動情報の通知の開始が拒否された旨の結果、および、当該応答を受け付けた応答時刻を前記端末結果記憶部に記憶し、
前記端末要求送受信部は、当該端末を使用するユーザから前記他のユーザに対する前記開始要求を受け付けた場合に、当該他のユーザのユーザ識別情報に対応付けて前記端末結果記憶部に前記活動情報の通知の開始が拒否された旨の結果が記憶され、かつ、前記ユーザ識別情報に対応付けて前記端末結果記憶部に記憶された前記応答時刻から所定の時間を経過する前であるときは、前記サーバへの当該開始要求の送信を中止する活動情報通知システム。
【請求項１０】
複数の他のサーバとの間で、相互に承認の登録をしたユーザの活動状態を示す活動情報を相互に通知するサーバと、
前記サーバを介して、前記活動情報を相互に通知する端末と
を備える活動情報通知システムであって、
前記サーバは、
当該サーバに対応付けられた前記端末を使用するユーザと他のサーバに対応付けられた前記端末を使用する他のユーザとのあいだの前記承認の登録が削除された旨の結果を記憶するサーバ結果記憶部と、
当該サーバに対応付けられた前記端末を使用するユーザからの前記他のユーザに対する前記活動情報の通知を開始すべき旨の開始要求を、当該サーバに対応付けられた前記端末から受信するとともに、受信した前記開始要求を前記他のサーバに送信し、
当該サーバに対応付けられた前記端末を使用するユーザからの前記他のユーザに対する前記登録を削除すべき旨の削除要求を、当該サーバに対応付けられた前記端末から受信するとともに、受信した前記削除要求を、前記他のサーバに送信し、
前記他のユーザからの当該サーバに対応付けられた前記端末を使用するユーザに対する前記登録を削除すべき旨の削除要求を、前記他のサーバから受信するとともに、受信した前記削除要求を、当該サーバに対応付けられた前記端末に送信するサーバ要求送受信部
を有し、
前記端末は、
当該端末を使用するユーザと他のユーザとのあいだの前記承認の登録が削除された旨の結果を記憶する端末結果記憶部と、
当該端末を使用するユーザから前記他のユーザに対する前記活動情報の通知を開始すべき旨の開始要求を受け付けて、受け付けた前記開始要求を当該端末に対応付けられたサーバに送信し、
当該端末を使用するユーザからの前記他のユーザに対する前記登録を削除すべき旨の削除要求を受け付けて、受け付けた前記削除要求を前記サーバに送信し、
前記他のユーザからの当該端末を使用するユーザに対する前記登録を削除すべき旨の削除要求を前記サーバから受信する端末要求送受信部
を有し、
前記サーバ要求送受信部は、当該サーバに対応付けられた前記端末を使用するユーザからの前記他のユーザに対する前記削除要求を受信した場合に、当該他のユーザを識別するユーザ識別情報に対応付けて、前記承認の登録が削除された旨の結果、および、当該削除要求を受信した受信時刻を前記サーバ結果記憶部に記憶し、
前記サーバ要求送受信部は、当該サーバに対応付けられた前記端末を使用するユーザからの前記他のユーザに対する前記開始要求を受信した場合に、当該他のユーザのユーザ識別情報に対応付けて前記サーバ結果記憶部に前記承認の登録が削除された旨の結果が記憶されており、かつ、前記ユーザ識別情報に対応付けて前記サーバ結果記憶部に記憶された前記受信時刻から所定の時間を経過する前であるときは、前記他のサーバへの当該開始要求の送信を中止し、
前記端末要求送受信部は、前記他のユーザからの当該端末を使用するユーザに対する前記削除要求を受信した場合に、前記承認の登録が削除された旨の結果、および、当該削除要求を受信した受信時刻を前記端末結果記憶部に記憶し、
前記端末要求送受信部は、当該端末を使用するユーザから前記他のユーザに対する前記開始要求を受け付けた場合に、当該他のユーザのユーザ識別情報に対応付けて前記端末結果記憶部に前記承認の登録が削除された旨の結果が記憶されており、かつ、前記ユーザ識別情報に対応付けて前記端末結果記憶部に記憶された前記受信時刻から所定の時間を経過する前であるときは、前記サーバへの当該開始要求の送信を中止する活動情報通知システム。
【発明の詳細な説明】
【技術分野】
【０００１】
本発明は、サーバ、端末および活動情報通知システムに関する。特に、本発明は、ユーザの活動状態を示す活動情報を相互に通知するサーバ、端末および活動情報通知システムに関する。
【背景技術】
【０００２】
サーバを介して相互の端末に、ユーザの活動状態を示すプレゼンスを通知し、表示するプレゼンス表示システムが知られている（例えば、特許文献１参照。）。このようなプレゼンス表示システムにおいて、プレゼンスの通知を開始する場合に、サーバは、一のユーザの端末から他のユーザに対する活動情報の通知を開始すべき旨の開始要求を受信し、当該開始要求を他のユーザのサーバに送信する。当該サーバが、その後、他のユーザのサーバから当該開始要求に対する肯定的な応答を受信した場合に、当該一のユーザと当該他のユーザとの間でプレゼンスの通知を開始する。一方、サーバは、他のユーザから当該開始要求に対する肯定的な応答を受信しなかった場合に、当該一のユーザと当該他のユーザとの間でプレゼンスを通知しない。
【特許文献１】特開２００５−１９０２８７号公報
【発明の開示】
【発明が解決しようとする課題】
【０００３】
しかしながら、他のユーザから当該開始要求に対する肯定的な応答を受信しなかった場合には、当該他のユーザはプレゼンスの通知を希望していないと考えられる。この場合に上記プレゼンス表示システムにおいては、当該一のユーザから再度、上記他のユーザに対する開始要求を受信するたびに、当該一のユーザとのプレゼンスの通知を希望しない当該他のユーザに再送してしまうという課題がある。
【課題を解決するための手段】
【０００４】
上記課題を解決するために、本発明の第１の形態においては、複数の他のサーバとの間で、相互に承認の登録をしたユーザの活動状態を示す活動情報を相互に通知するサーバであって、当該サーバに対応付けられた端末を使用するユーザと他のサーバに対応付けられた端末を使用する他のユーザとのあいだの活動情報の通知を開始することの認否の結果を記憶する結果記憶部と、当該サーバに対応付けられた端末を使用するユーザからの他のユーザに対する活動情報の通知を開始すべき旨の開始要求を、当該サーバに対応付けられた端末から受信するとともに、受信した開始要求を他のサーバに送信する要求送受信部と、開始要求に対する他のユーザからの応答を他のサーバから受信するとともに、受信した応答を、当該サーバに対応付けられた端末に送信する応答送受信部とを備え、応答送受信部は、開始要求に対する他のユーザからの否定的な応答を受信した場合に、当該他のユーザを識別するユーザ識別情報に対応付けて、活動情報の通知の開始が拒否された旨の結果、および、当該応答を受信した応答時刻を結果記憶部に記憶し、要求送受信部は、当該サーバに対応付けられた端末を使用するユーザからの他のユーザに対する開始要求を受信した場合に、当該他のユーザのユーザ識別情報に対応付けて結果記憶部に活動情報の通知の開始が拒否された旨の結果が記憶されており、かつ、ユーザ識別情報に対応付けて結果記憶部に記憶された応答時刻から所定の時間を経過する前であるときは、他のサーバへの当該開始要求の送信を中止する。
【０００５】
なお、上記の発明の概要は、本発明の必要な特徴の全てを列挙したものではなく、これらの特徴群のサブコンビネーションもまた、発明となりうる。
【発明の効果】
【０００６】
以上の説明から明らかなように、本発明によれば、一のユーザとの活動情報の通知を希望しない他のユーザに、再度、当該一のユーザからの活動情報の通知を開始すべき旨の開始要求の送信を、所定の時間、禁止することができる。
【発明を実施するための最良の形態】
【０００７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【０００８】
図１は、活動情報通知システム１０の概略図を模式的に示す。図２は、サーバ３０の通知関係の遷移を示す概念図である。活動情報通知システム１０は、携帯情報端末２０、２２、および、サーバ３０、３２を備える。以下、携帯情報端末２０はユーザ甲、携帯情報端末２２はユーザ乙により使用されるものとして説明する。
【０００９】
携帯情報端末２０は、端末の一例であって、例えば、スマートフォン（ｓｍａｒｔ  ｐｈｏｎｅ）である。携帯情報端末２０は、ディスプレイ４００および操作パネル５００を備える。携帯情報端末２０は、サーバ３０、ネットワーク７０およびサーバ３２を介して携帯情報端末２２と通信する。例えば、携帯情報端末２０は、携帯情報端末２２との間で、ユーザ甲、ユーザ乙の活動情報を相互に通知する。この場合、携帯情報端末２０は、携帯情報端末２２のから通知された活動情報を表示する。
【００１０】
活動情報は、ユーザの活動状態を示す情報であって、一例としては、自宅に居ることを示す活動情報「自宅」である。また、活動情報はプレゼンスともいう。ネットワーク７０は、例えば、インターネットである。
【００１１】
サーバ３０は、例えば、ＳＩＰ（Ｓｅｓｓｉｏｎ  Ｉｎｉｔｉａｔｉｏｎ  Ｐｒｏｔｏｃｏｌ）サーバである。サーバ３０は携帯情報端末２０に対応付けられている。同様に、サーバ３２は、携帯情報端末２２に対応付けられている。サーバ３０は、図２に示すように、通知関係「未開始」、通知関係「開始処理中」、通知関係「開始応答待」、通知関係「開始登録完了」、通知関係「削除処理中」、および、通知関係「ブロック中」の通知関係を有し、サーバ３０に発生するイベントにより他の通知関係に遷移する。なお、ユーザ甲のサーバ３０は、他のユーザから承認に基づいて承認の登録があった場合に、当該他のユーザと通知関係「開始登録完了」に遷移する。サーバ３０は、当該他のユーザとの間で通知関係「開始登録完了」の状態にあるときに、当該他のユーザと活動情報を相互に通知する。なお、図２に示す通知関係の遷移についての詳細は後述する。
【００１２】
なお、携帯情報端末２２の機能および動作は、携帯情報端末２０の機能および動作と同一である。また、サーバ３２の機能および動作は、サーバ３０の機能および動作と同一である。
【００１３】
図３は、サーバ３０のブロック図の一例を示す。図４は、通知関係記憶部１０２に格納される情報の一例を示す。図５は、結果記憶部１０４に格納される情報の一例を示す。図６は、関係遷移規則記憶部１１０に格納された情報の一例を模式的に示す。サーバ３０は、図３に示すように、現在関係記憶部１００、関係遷移規則記憶部１１０、要求送受信部１５０および応答送受信部１６０を備える。
【００１４】
現在関係記憶部１００は、通知関係記憶部１０２および結果記憶部１０４を有する。通知関係記憶部１０２および結果記憶部１０４は、要求送受信部１５０および応答送受信部１６０によって以下のような情報を記録する。
【００１５】
通知関係記憶部１０２は、サーバ３０に対応付けられた携帯情報端末２０のユーザ甲と他のユーザとのあいだの活動情報の通知に関する通知関係を記憶する。具体的には、通知関係記憶部１０２は、図４に示すように、ユーザを識別するユーザＩＤに対応付けて、通知関係を示す通知関係区分を格納する。
【００１６】
結果記憶部１０４は、ユーザ甲と他のユーザとのあいだの活動情報の通知を開始することの認否の結果を記憶する。具体的には、結果記憶部１０４は、図５に示すように、ユーザを識別するユーザＩＤに対応付けて、ユーザ甲から他のユーザに対する活動情報の通知を開始すべき旨の開始要求に対する、当該他のユーザからの認否の結果、または、他のユーザからユーザ甲に対する活動情報の通知を開始すべき旨の開始要求に対する、ユーザ甲からの認否の結果を、開始結果情報として記憶する。また、この場合に、結果記憶部１０４は、当該結果を取得した時刻を開始時刻に記憶する。
【００１７】
また、結果記憶部１０４は、ユーザ甲と他のユーザとのあいだの承認の登録が削除された旨の結果を記憶する。すなわち、結果記憶部１０４は、また、ユーザ甲と他のユーザとのあいだの通知関係「開始登録完了」になるときになされた承認の登録が削除された旨の結果を記憶する。具体的には、結果記憶部１０４は、図５に示すように、ユーザを識別するユーザＩＤに対応付けて、ユーザ甲から他のユーザに対する登録を削除すべき旨の削除要求により承認の登録が削除された旨の結果、または、他のユーザからユーザ甲に対する登録を削除すべき旨の削除要求により承認の登録が削除された旨の結果を、削除結果情報として記憶する。また、この場合に、結果記憶部１０４は、当該結果を取得した時刻を削除時刻に記憶する。
【００１８】
関係遷移規則記憶部１１０は、図６に示すように、通知関係の遷移の規則を示す関係遷移規則情報を記憶する。関係遷移規則情報は、サーバ３０に存在する通知関係と、各通知関係においてサーバ３０に発生するイベント、および、各通知関係においてサーバ３０に発生したイベントにより遷移する遷移先の通知関係を示し、要求送受信部１５０および応答送受信部１６０により参照される。
【００１９】
図中の「○」は当該行の通知関係において当該列のイベントを受け付ける旨を示し、「−」は当該行の通知関係において当該列のイベントを受け付けない旨、または、当該イベントを受け付けても無視する旨を示す。また、図中の「○」の下の［  ］は、当該イベントにより遷移する遷移先を示す。例えば、関係ＩＤ「０１」により識別される通知関係「未開始」においては、イベントＩＤ「ａ」により識別されるイベント「甲からの開始要求」を受け付けた場合には、関係ＩＤ「０２」により識別される通知関係「開始処理中」に遷移する。
【００２０】
なお、図中の［無］は、イベントを受け付けるが、通知関係が遷移しない旨を示す。また、図中の［ａ：０３／０１］は、イベントＩＤ「ａ」により当該通知関係「開始処理中」に遷移していた場合には、関係ＩＤ「０３」、または、関係ＩＤ「０１」により識別される通知関係「開始応答待」、または、通知関係「未開始」に遷移する旨を示す。［ｆ：０４／０１］についても同様である。
【００２１】
要求送受信部１５０は、ユーザ甲からの他のユーザに対する開始要求を、携帯情報端末２０から受信する。すなわち要求送受信部１５０は、図６に示すイベントＩＤ「ａ」のイベントを受け付ける。要求送受信部１５０は、受信した開始要求を他のサーバに送信する。
【００２２】
要求送受信部１５０は、他のユーザからのユーザ甲に対する開始要求を、他のサーバから受信する。すなわち要求送受信部１５０は、図６に示すイベントＩＤ「ｅ」のイベントを受け付ける。要求送受信部１５０は、受信した開始要求を携帯情報端末２０に送信する。
【００２３】
要求送受信部１５０は、ユーザ甲からの他のユーザに対する削除要求を、携帯情報端末２０から受信する。すなわち要求送受信部１５０は、図６に示すイベントＩＤ「ｉ」のイベントを受け付ける。要求送受信部１５０は、受信した削除要求を、他のサーバに送信する。
【００２４】
要求送受信部１５０は、他のユーザからのユーザ甲に対する削除要求を、他のサーバから受信する。すなわち要求送受信部１５０は、図６に示すイベントＩＤ「ｊ」のイベントを受け付ける。要求送受信部１５０は、受信した削除要求を、携帯情報端末２０に送信する。
【００２５】
応答送受信部１６０は、ユーザ甲からの他のユーザに対する開始要求に対する当該他のユーザからの応答を他のサーバから受信する。すなわち応答送受信部１６０は、図６に示すイベントＩＤ「ｂ」、イベントＩＤ「ｃ」、または、イベントＩＤ「ｄ」のイベントを受け付ける。応答送受信部１６０は、受信した応答を、携帯情報端末２０に送信する。
【００２６】
応答送受信部１６０は、他のユーザからの開始要求に対する、ユーザ甲からの応答を、携帯情報端末２０から受信する。すなわち応答送受信部１６０は、図６に示すイベントＩＤ「ｆ」、イベントＩＤ「ｇ」、または、イベントＩＤ「ｈ」のイベントを受け付ける。応答送受信部１６０は、受信した応答を、他のサーバに送信する。
【００２７】
以下、サーバ３０の通知関係の遷移について説明する。図２に示す通知関係「未開始」は、ユーザ甲と他のあるユーザとのあいだで活動情報を通知しない関係であって、ユーザ甲からの当該他のユーザに対する開始要求も受信していない関係である。この場合、通知関係記憶部１０２は、当該他のユーザを識別するユーザＩＤに対応づけて、通知関係「未開始」である旨を示す通知関係区分「１」を記憶する。
【００２８】
サーバ３０が通知関係「未開始」の状態にある場合に、要求送受信部１５０は、ユーザ甲からの当該他のユーザに対する開始要求（イベントＩＤ「ａ」）を携帯情報端末２０から受信したときに、図６に示す関係遷移規則情報を参照して、通知関係を「未開始」から「開始処理中」に遷移させる（図２のＡ）。具体的には、要求送受信部１５０は、当該他のユーザを識別するユーザＩＤに対応づけて通知関係記憶部１０２に記憶されている通知関係区分「１」を通知関係「開始処理中」である旨を示す通知関係区分「２」に更新する。要求送受信部１５０は、また、受信した開始要求を他のサーバに送信する。
【００２９】
さらに、要求送受信部１５０は、サーバ３０が通知関係「開始処理中」の状態にある場合に、上述した通知関係区分の更新、開始要求の送信などの開始要求処理を正常に終了したと判断したとき（イベントＩＤ「ｌ」）に、図６に示す関係遷移規則情報を参照して、通知関係を「開始処理中」から「開始応答待」に遷移させる（図２のＢ）。具体的には、要求送受信部１５０は、当該他のユーザを識別するユーザＩＤに対応づけて通知関係記憶部１０２に記憶されている通知関係区分「２」を通知関係「開始応答待」である旨を示す通知関係区分「３」に更新する。一方、要求送受信部１５０は、サーバ３０が通知関係「開始処理中」の状態にある場合に、開始要求処理を正常に終了していないと判断したとき（イベントＩＤ「ｌ」）に、図６に示す関係遷移規則情報を参照して、通知関係を「開始処理中」から「未開始」に遷移させる（図２のＧ）。具体的には、要求送受信部１５０は、当該他のユーザを識別するユーザＩＤに対応づけて通知関係記憶部１０２に記憶されている通知関係区分「２」を通知関係「未開始」である旨を示す通知関係区分「１」に更新する。
【００３０】
サーバ３０が通知関係「開始応答待」の状態にある場合に、応答送受信部１６０は、開始要求に対する当該他のユーザからの肯定的な応答（イベントＩＤ「ｂ」）を他のサーバから受信したときは、図６に示す関係遷移規則情報を参照して、通知関係を「開始応答待」から「開始登録完了」に遷移させる（図２のＣ）。具体的には、応答送受信部１６０は、当該他のユーザを識別するユーザＩＤに対応づけて通知関係記憶部１０２に記憶されている通知関係区分「３」を通知関係「開始登録完了」である旨を示す通知関係区分「４」に更新する。応答送受信部１６０は、また、受信した肯定的な応答を携帯情報端末２０に送信する。
【００３１】
一方、サーバ３０が通知関係「開始応答待」の状態にある場合に、応答送受信部１６０は、開始要求に対する当該他のユーザからの否定的な応答（イベントＩＤ「ｃ」）を他のサーバから受信したときに、図６に示す関係遷移規則情報を参照して、通知関係を「開始応答待」からに遷移させる（図２のＦ）。具体的には、応答送受信部１６０は、当該他のユーザを識別するユーザＩＤに対応づけて通知関係記憶部１０２に記憶されている通知関係区分「３」を通知関係「削除処理中」である旨を示す通知関係区分「５」に更新する。応答送受信部１６０は、また、受信した否定的な応答を携帯情報端末２０に送信する。さらに、応答送受信部１６０は、通知関係「削除処理中」において、上述した通知関係区分の更新などの削除要求処理を正常に終了したと判断した場合（イベントＩＤ「ｍ」）に、図６に示す関係遷移規則情報を参照して、通知関係を「削除処理中」から「ブロック中」に遷移させる（図２のＪ）。具体的には、応答送受信部１６０は、当該他のユーザを識別するユーザＩＤに対応づけて通知関係記憶部１０２に記憶されている通知関係区分「５」を通知関係「ブロック中」である旨を示す通知関係区分「６」に更新する。また、応答送受信部１６０は、当該他のユーザを識別するユーザＩＤに対応づけて、図５にしめす結果記憶部１０４の開始結果情報に、開始が拒否された旨の結果を示す「１」を記憶し、結果記憶部１０４の開始時刻に、否定的な応答を受信した受信時刻を記憶する。一方、応答送受信部１６０は、通知関係「削除処理中」において、削除要求処理を正常に終了していないと判断した場合（イベントＩＤ「ｍ」）に、図６に示す関係遷移規則情報を参照して、通知関係を「削除処理中」から「開始応答待」に遷移させる（図２のＬ）。具体的には、要求送受信部１５０は、当該他のユーザを識別するユーザＩＤに対応づけて通知関係記憶部１０２に記憶されている通知関係区分「５」を通知関係「開始応答待」である旨を示す通知関係区分「３」に更新する。
【００３２】
また、サーバ３０が通知関係「開始応答待」の状態にある場合に、応答送受信部１６０は、開始要求に対する当該他のユーザからの無視の応答（イベントＩＤ「ｄ」）を他のサーバから受信したときに、図６に示す関係遷移規則情報を参照して、通知関係を「開始応答待」から「削除処理中」に遷移させる（図２のＦ）。具体的には、応答送受信部１６０は、当該他のユーザを識別するユーザＩＤに対応づけて通知関係記憶部１０２に記憶されている通知関係区分「３」を通知関係「削除処理中」である旨を示す通知関係区分「５」に更新する。応答送受信部１６０は、また、受信した無視の応答を携帯情報端末２０に送信する。なお、無視の応答は、タイムアウト、または、当該他のユーザからの消極的な否定的な応答である。さらに、応答送受信部１６０は、無視の応答を受信した場合に、通知関係「削除処理中」において、上述した通知関係区分の更新などの削除要求処理を正常に終了したと判断したとき（イベントＩＤ「ｍ」）には、図６に示す関係遷移規則情報を参照して、通知関係を「削除処理中」から「未開始」に遷移させる（図２のＥ）。具体的には、応答送受信部１６０は、当該他のユーザを識別するユーザＩＤに対応づけて通知関係記憶部１０２に記憶されている通知関係区分「５」を通知関係「未開始」である旨を示す通知関係区分「１」に更新する。一方、応答送受信部１６０は、通知関係「削除処理中」において、削除要求処理を正常に終了していないと判断したとき（イベントＩＤ「ｍ」）には、否定的な応答を受信した場合と同様、通知関係を「削除処理中」から「開始応答待」に遷移させる（図２のＬ）。
【００３３】
サーバ３０が通知関係「未開始」の状態にある場合に、要求送受信部１５０は、他のユーザからのユーザ甲に対する開始要求（イベントＩＤ「ｅ」）を他のサーバから受信したときは、受信した開始要求を携帯情報端末２０に送信する。
【００３４】
要求送受信部１５０が他のユーザからの開始要求を携帯情報端末２０に送信した後に、応答送受信部１６０は、当該他のユーザからの前記開始要求に対する、ユーザ甲からの肯定的な応答（イベントＩＤ「ｆ」）を携帯情報端末２０から受信したときに、図６に示す関係遷移規則情報を参照して、通知関係を「未開始」から「開始処理中」に遷移させる（図２のＡ）。具体的には、応答送受信部１６０は、当該他のユーザを識別するユーザＩＤに対応づけて通知関係記憶部１０２に記憶されている通知関係区分「１」を通知関係「開始処理中」である旨を示す通知関係区分「２」に更新する。さらに、応答送受信部１６０は、通知関係「開始処理中」において、上述した通知関係区分の更新などの開始要求処理を正常に終了したと判断した場合（イベントＩＤ「ｌ」）に、図６に示す関係遷移規則情報を参照して、通知関係を「開始処理中」から「開始登録完了」に遷移させる（図２のＭ）。具体的には、応答送受信部１６０は、当該他のユーザを識別するユーザＩＤに対応づけて通知関係記憶部１０２に記憶されている通知関係区分「２」を通知関係「開始登録完了」である旨を示す通知関係区分「４」に更新する。一方、応答送受信部１６０は、通知関係「開始処理中」において、開始要求処理を正常に終了していないと判断した場合（イベントＩＤ「ｌ」）に、図６に示す関係遷移規則情報を参照して、通知関係を「開始処理中」から「未開始」に遷移させる（図２のＧ）。具体的には、応答送受信部１６０は、当該他のユーザを識別するユーザＩＤに対応づけて通知関係記憶部１０２に記憶されている通知関係区分「２」を通知関係「未開始」である旨を示す通知関係区分「１」に更新する。
【００３５】
要求送受信部１５０が他のユーザからの開始要求を携帯情報端末２０に送信した後に、応答送受信部１６０は、当該他のユーザからの前記開始要求に対する、ユーザ甲からの否定的な応答（イベントＩＤ「ｇ」）を携帯情報端末２０から受信したときに、図６に示す関係遷移規則情報を参照して、通知関係を「未開始」から「ブロック中」に遷移させる（図２のＩ）。具体的には、応答送受信部１６０は、当該他のユーザを識別するユーザＩＤに対応づけて通知関係記憶部１０２に記憶されている通知関係区分「１」を通知関係「ブロック中」である旨を示す通知関係区分「６」に更新する。また、応答送受信部１６０は、当該他のユーザを識別するユーザＩＤに対応づけて、図５にしめす結果記憶部１０４の開始結果情報に、開始が拒否された旨の結果を示す「１」を記憶し、結果記憶部１０４の開始時刻に、否定的な応答を受信した受信時刻を記憶する。この場合に、応答送受信部１６０はサーバ３０の内部時計から時刻を取得し、受信時刻とする。
【００３６】
サーバ３０が通知関係「開始登録完了」の状態である場合に、要求送受信部１５０は、ユーザ甲からの他のユーザに対する削除要求（イベントＩＤ「ｉ」）を携帯情報端末２０から受信したときに、図６に示す関係遷移規則情報を参照して、通知関係を「開始登録完了」から「削除処理中」に遷移させる（図２のＤ）。具体的には、要求送受信部１５０は、当該他のユーザを識別するユーザＩＤに対応づけて通知関係記憶部１０２に記憶されている通知関係区分「４」を通知関係「削除処理中」である旨を示す通知関係区分「５」に更新する。要求送受信部１５０は、また、受信した削除要求を他のサーバに送信する。さらに、要求送受信部１５０は、通知関係「削除処理中」において、上述した通知関係区分の更新などの削除要求処理を正常に終了したと判断した場合（イベントＩＤ「ｍ」）に、図６に示す関係遷移規則情報を参照して、通知関係を「削除処理中」から「ブロック中」に遷移させる（図２のＪ）。具体的には、要求送受信部１５０は、当該他のユーザを識別するユーザＩＤに対応づけて通知関係記憶部１０２に記憶されている通知関係区分「５」を通知関係「ブロック中」である旨を示す通知関係区分「６」に更新する。また、要求送受信部１５０は、当該他のユーザを識別するユーザＩＤに対応づけて、図５にしめす結果記憶部１０４の削除結果情報に、承認の登録が削除された旨の結果を示す「１」を記憶し、結果記憶部１０４の削除時刻に、削除要求を受信した受信時刻を記憶する。一方、要求送受信部１５０は、通知関係「削除処理中」において、削除要求処理を正常に終了していないと判断した場合（イベントＩＤ「ｍ」）に、図６に示す関係遷移規則情報を参照して、通知関係を「削除処理中」から「開始登録完了」に遷移させる（図２のＨ）。具体的には、要求送受信部１５０は、当該他のユーザを識別するユーザＩＤに対応づけて通知関係記憶部１０２に記憶されている通知関係区分「５」を通知関係「開始登録完了」である旨を示す通知関係区分「４」に更新する。
【００３７】
また、サーバ３０が通知関係「開始登録完了」の状態である場合に、要求送受信部１５０は、他のユーザからのユーザ甲に対する削除要求（イベントＩＤ「ｊ」）を他のサーバから受信したときに、図６に示す関係遷移規則情報を参照して、通知関係を「開始登録完了」から「削除処理中」に遷移させる（図２のＤ）。なお、この場合の要求送受信部１５０の動作は、上述した、ユーザ甲からの他のユーザに対する削除要求（イベントＩＤ「ｉ」）を受信した場合と同様なので説明を省略する。
【００３８】
サーバ３０が通知関係「開始登録完了」の状態である場合に、応答送受信部１６０は、結果記憶部の開始時刻に格納されている時刻を参照し、当該時刻から所定の時間を経過したか否かを判断する。応答送受信部１６０は、当該時刻から所定の時間を経過したと判断した（イベントＩＤ「ｋ」）場合に、図６に示す関係遷移規則情報を参照して、通知関係を「ブロック中」から「未開始」に遷移させる（図２のＫ）。具体的には、応答送受信部１６０は、当該他のユーザを識別するユーザＩＤに対応づけて通知関係記憶部１０２に記憶されている通知関係区分「５」を通知関係「未開始」である旨を示す通知関係区分「１」に更新する。また、応答送受信部１６０は、当該開始結果情報に記憶されている「１」を初期値「０」に更新し、当該開始時刻に記憶されている受信時刻を初期値「ＮＵＬＬ」に更新する。応答送受信部１６０は、同様に、結果記憶部の削除時刻に格納されている時刻を参照し、当該時刻から所定の時間を経過したか否かを判断する。応答送受信部１６０は、当該時刻から所定の時間を経過したと判断した（イベントＩＤ「ｋ」）場合に、図６に示す関係遷移規則情報を参照して、通知関係を「ブロック中」から「未開始」に遷移させる（図２のＫ）。なお、応答送受信部１６０にかえて、要求送受信部１５０が上記処理をしてもよい。また、所定の時間は、例えば、７２時間である。
【００３９】
以下、通知関係「ブロック中」の場合のサーバ３０の動作について説明する。上述したように、応答送受信部１６０がユーザ甲からの開始要求（イベントＩＤ「ａ」）に対する、他のユーザからの否定的な応答（イベントＩＤ「ｃ」）を受信したとき、要求送受信部１５０がユーザ甲からの他のユーザに対する削除要求（イベントＩＤ「ｉ」）を受信したとき、または、要求送受信部１５０が他のユーザからのユーザ甲に対する削除要求（イベントＩＤ「ｊ」）を受信したときに、通知関係「削除処理中」を経て通知関係「ブロック中」に遷移する。さらに応答送受信部１６０が他のユーザからの開始要求（イベントＩＤ「ｅ」）に対する、ユーザ甲からの否定的な応答（イベントＩＤ「ｇ」）を受信したときも通知関係「ブロック中」に遷移する。
【００４０】
また、通知関係「ブロック中」の場合には、上述のように、結果記憶部１０４は、当該他のユーザのユーザ識別情報に対応付けて、開始が拒否された旨の結果を示す「１」を開始結果情報に記憶し、かつ、所定の時間を経過する前の時刻を開始時刻に記憶しているか、または、承認の登録が削除された旨の結果を示す「１」を削除結果情報に記憶し、かつ、所定の時間を経過する前の時刻を削除時刻に記憶している。
【００４１】
そして要求送受信部１５０は、通知関係「ブロック中」である場合に、ユーザ甲からの他のユーザに対する開始要求（イベントＩＤ「ａ」）を受信したときは、図６に「−」で示すように、当該開始要求を無視する。具体的には、要求送受信部１５０は、当該開始要求の他のサーバへの送信を中止する。すなわち、要求送受信部１５０は、開始要求（イベントＩＤ「ａ」）を受信した場合に、当該他のユーザのユーザ識別情報に対応付けて結果記憶部１０４の開始結果情報および開始時刻を参照し、開始が拒否された旨の結果を示す「１」が開始結果情報に記憶されており、かつ、現在時刻が開始時刻から上記所定の時間を経過する前であるときに、当該開始要求の他のサーバへの送信を中止する。ここで、要求送受信部１５０は、開始要求を受信したときのサーバ３０の内部時計による時刻を現在時刻として取得する。また、要求送受信部１５０は、開始要求（イベントＩＤ「ａ」）を受信した場合に、当該他のユーザのユーザ識別情報に対応付けて結果記憶部１０４の削除結果情報および削除時刻を参照し、承認の登録が削除された旨の結果を示す「１」が削除結果情報に記憶され、かつ、現在時刻が削除時刻から所定の時間を経過する前であるときに、当該開始要求の他のサーバへの送信を中止する。また、要求送受信部１５０は、通知関係記憶部１０２に通知関係「ブロック中」である旨を示す通知関係区分「６」が格納されていると判断することにより、当該開始要求の他のサーバへの送信を中止してもよい。
【００４２】
上記「ブロック中」において、上記ユーザから上記他のユーザへ開始要求をサーバ３０が受信してもこれを当該他のサーバ３２へ送信しないので、他のユーザが開始要求を受信するたびにそれを拒否するという煩雑な動作を避けることができる。さらに、所定の時間が経過すると「ブロック中」から「未開始」の状態に遷移するので、上記他のユーザの気が変わって、上記ユーザと活動情報を相互に通知してもよいと考えた場合に、これを許容して活動情報の通知を開始することができる。
【００４３】
図７は、携帯情報端末２０のブロック図の一例を示す。携帯情報端末２０は、現在関係記憶部２００、関係遷移規則記憶部２１０、要求送受信部２５０および応答送受信部２６０を備える。現在関係記憶部２００は、通知関係記憶部２０２および結果記憶部２０４を有する。携帯情報端末２０は、サーバ３０と同様、図２に示すように、通知関係「未開始」、通知関係「開始処理中」、通知関係「開始応答待」、通知関係「開始登録完了」、通知関係「削除処理中」、および、通知関係「ブロック中」の通知関係を有し、携帯情報端末２０に発生するイベントにより他の通知関係に遷移する。携帯情報端末２０の通知関係の遷移は、サーバ３０と同様なので説明を省略する。現在関係記憶部２００は、図３、図４および図５に示す現在関係記憶部１００と同様なので説明を省略する。関係遷移規則記憶部２１０は、図３および図６に示す関係遷移規則記憶部２１０と同様なので説明を省略する。
【００４４】
要求送受信部２５０は、ユーザ甲から他のユーザに対する開始要求を受け付ける。すなわち要求送受信部２５０は、図６に示すイベントＩＤ「ａ」のイベントを受け付ける。要求送受信部２５０は、受け付けた開始要求をサーバ３０に送信する。
【００４５】
要求送受信部２５０は、他のユーザからのユーザ甲に対する開始要求を、サーバ３０から受信する。すなわち要求送受信部１５０は、図６に示すイベントＩＤ「ｅ」のイベントを受け付ける。
【００４６】
要求送受信部２５０は、ユーザ甲から他のユーザに対する削除要求を受け付ける。すなわち要求送受信部２５０は、図６に示すイベントＩＤ「ｉ」のイベントを受け付ける。要求送受信部２５０は、受け付けた削除要求をサーバ３０に送信する。
【００４７】
要求送受信部２５０は、他のユーザからのユーザ甲に対する削除要求をサーバ３０から受信する。すなわち要求送受信部２５０は、図６に示すイベントＩＤ「ｊ」のイベントを受け付ける。
【００４８】
応答送受信部２６０は、ユーザ甲からの他のユーザに対する開始要求に対する当該他のユーザからの応答をサーバ３０から受信する。すなわち応答送受信部２６０は、図６に示すイベントＩＤ「ｂ」、イベントＩＤ「ｃ」、または、イベントＩＤ「ｄ」のイベントを受け付ける。
【００４９】
応答送受信部２６０は、他のユーザからの開始要求に対する、ユーザ甲からの応答を受け付ける。すなわち応答送受信部２６０は、図６に示すイベントＩＤ「ｆ」、イベントＩＤ「ｇ」、または、イベントＩＤ「ｈ」のイベントを受け付ける。応答送受信部２６０は、受け付けた応答をサーバ３０に送信する。
【００５０】
以下、携帯情報端末２０が通知関係「ブロック中」の状態にある場合の動作について説明する。携帯情報端末２０は、サーバ３０と同様に、応答送受信部２６０がユーザ甲からの開始要求（イベントＩＤ「ａ」）に対する、他のユーザからの否定的な応答（イベントＩＤ「ｃ」）を受信したとき、要求送受信部２５０がユーザ甲から他のユーザに対する削除要求（イベントＩＤ「ｉ」）を受け付けたとき、または、要求送受信部２５０が他のユーザからのユーザ甲に対する削除要求（イベントＩＤ「ｊ」）を受信したときに、通知関係「削除処理中」を経て通知関係「ブロック中」に遷移する。さらに応答送受信部２６０が他のユーザからの開始要求（イベントＩＤ「ｅ」）に対する、ユーザ甲からの否定的な応答（イベントＩＤ「ｇ」）を受け付けたときも通知関係「ブロック中」に遷移する。
【００５１】
また、携帯情報端末２０が通知関係「ブロック中」の状態にある場合に、携帯情報端末２０の結果記憶部２０４は、サーバ３０の結果記憶部１０４と同様に、当該他のユーザのユーザ識別情報に対応付けて、開始が拒否された旨の結果を示す「１」を開始結果情報に記憶し、かつ、否定的な応答を受信した時刻を開始時刻に記憶しているか、または、承認の登録が削除された旨の結果を示す「１」を削除結果情報に記憶し、かつ、削除要求を受信した時刻を削除時刻に記憶する。
【００５２】
そして要求送受信部２５０は、通知関係「ブロック中」である場合に、ユーザ甲から他のユーザに対する開始要求（イベントＩＤ「ａ」）を受け付けたときは、当該開始要求を無視してもよい。具体的には、要求送受信部２５０は、当該開始要求のサーバ３０への送信を中止してもよい。すなわち、要求送受信部２５０は、開始要求（イベントＩＤ「ａ」）を受け付けた場合に、当該他のユーザのユーザ識別情報に対応付けて結果記憶部２０４の開始結果情報、削除結果情報、開始時刻、削除時刻を参照し、開始が拒否された旨の結果を示す「１」を開始結果情報に記憶し、かつ、所定の時間を経過する前の時刻を開始時刻に記憶しているか、または、承認の登録が削除された旨の結果を示す「１」を削除結果情報に記憶し、かつ、所定の時間を経過する前の時刻を削除時刻に記憶していると判断することにより、当該開始要求のサーバ３０への送信を中止してもよい。また、要求送受信部２５０は、通知関係記憶部２０２に通知関係「ブロック中」である旨を示す通知関係区分「６」が格納されていると判断することにより、当該開始要求のサーバ３０への送信を中止してもよい。要求送受信部２５０は、通知関係「ブロック中」である場合には、開始要求を受け付ける画面を非表示または非アクティブにすることにより、ユーザ甲から他のユーザに対する開始要求のサーバ３０への送信を禁止してもよい。
【００５３】
以上、サーバ３０が通知関係「ブロック中」となる場合、携帯情報端末２０が通知関係「ブロック中」となる場合について個別に説明したが、図６に示すイベントの種類に応じて、サーバ３０または携帯情報端末２０のいずれかが通知関係「ブロック中」に遷移してもよい。
【００５４】
例えば、サーバ３０は、応答送受信部１６０がユーザ甲からの開始要求（イベントＩＤ「ａ」）に対する、他のユーザからの否定的な応答（イベントＩＤ「ｃ」）を受信したとき、または、要求送受信部１５０がユーザ甲からの他のユーザに対する削除要求（イベントＩＤ「ｉ」）を受信したときに通知関係「ブロック中」に遷移し、携帯情報端末２０は、要求送受信部２５０が他のユーザからのユーザ甲に対する削除要求（イベントＩＤ「ｊ」）を受信したときに、または、応答送受信部２６０が他のユーザからの開始要求（イベントＩＤ「ｅ」）に対する、ユーザ甲からの否定的な応答（イベントＩＤ「ｇ」）を受け付けたときに通知関係「ブロック中」に遷移してもよい。これにより、開始要求を送信して相手から拒否された側、または、削除要求を送信した側からの開始要求をサーバ側で無効とし、開始要求に応じた側、または、削除要求を受信した側からの開始要求を携帯情報端末側で無効とすることができる。
【００５５】
上記「ブロック中」においては、上記ユーザから上記他のユーザへ開始要求を携帯端末２０が受け付けてもこれをサーバ３０へ送信しないので、他のユーザが開始要求を受信するたびにそれを拒否するという煩雑な動作を避けることができる。さらに、所定の時間が経過すると「ブロック中」から「未開始」の状態に遷移するので、上記他のユーザの気が変わって、上記ユーザと活動情報を相互に通知してもよいと考えた場合に、これを許容して活動情報の通知を開始することができる。
【００５６】
以上、本実施形態によれば、一のユーザとの活動情報の通知を希望しない他のユーザに、再度、当該一のユーザからの活動情報の通知を開始すべき旨の開始要求の送信を、所定の時間、禁止することができる。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５８】
【図１】活動情報通知システム１０の概略図を模式的に示す。
【図２】サーバ３０の通知関係の遷移を示す概念図である。
【図３】サーバ３０のブロック図の一例を示す。
【図４】通知関係記憶部１０２に格納される情報の一例を示す。
【図５】結果記憶部１０４に格納される情報の一例を示す。
【図６】関係遷移規則記憶部１１０に格納された情報の一例を模式的に示す。
【図７】携帯情報端末２０のブロック図の一例を示す。
【符号の説明】
【００５９】
１０  活動情報通知システム
２０  携帯情報端末
２２  携帯情報端末
３０  サーバ
３２  サーバ
７０  ネットワーク
１００  現在関係記憶部
１０２  通知関係記憶部
１０４  結果記憶部
１１０  関係遷移規則記憶部
１５０  要求送受信部
１６０  応答送受信部
２００  現在関係記憶部
２０２  通知関係記憶部
２０４  結果記憶部
２１０  関係遷移規則記憶部
２５０  要求送受信部
２６０  応答送受信部
４００  ディスプレイ
４２０  ディスプレイ
５００  操作パネル
５２０  操作パネル
【図１】
2008102879.tif 000003
【図２】
2008102879.tif 000004
【図３】
2008102879.tif 000005
【図４】
2008102879.tif 000006
【図５】
2008102879.tif 000007
【図６】
2008102879.tif 000008
【図７】
2008102879.tif 000009